(57)【要約】【課題】記憶媒体を回転させて情報の記録あるいは再生を行う情報記憶装置に設けられた循環フィルタのフィルタ効率を向上させることを目的とする。【解決手段】記憶媒体の外周に沿うように整流壁面を設け、記憶媒体の回転方向に生じる回転気流を導入して整流するものであって、その流入口をキャリッジアームに対し回転気流の上流側に設け流出口を下流側に設け、循環フィルタを、整流壁面の内部に導入された気流が回転気流とは逆方向に流入する位置に配置する。【選択図】図１
2009301642.tif 000002
【特許請求の範囲】
【請求項１】
回転可能に設けられる記憶媒体と、
前記記憶媒体からの情報の再生および当該記憶媒体への情報の記録のうちの少なくとも一のものを行うヘッドをその先端に備え、前記ヘッドを前記記憶媒体の所定の位置に配置するために移動可能なキャリッジアームと、
回転する前記記憶媒体の外周に沿って設けられ、前記記憶媒体の回転方向に生じる回転気流を導入して整流する整流壁面であって、前記回転気流が前記整流壁面の内部に流入する流入開口部と、前記整流壁面の内部を通過した気流が当該整流壁面の内部から流出する流出開口部とを備える整流壁面と、
循環フィルタと、
を備える情報記憶装置であって、
前記流入開口部は、前記キャリッジアームに対し、前記回転気流の上流側に設けられ、前記流出開口部は、前記キャリッジアームに対し、前記回転気流の下流側に設けられ、
前記循環フィルタは、前記整流壁面によって導入された気流が前記回転気流とは逆方向に当該循環フィルタに流入する位置に配置されることを特徴とする情報記憶装置。
【請求項２】
前記流出開口部は、前記整流壁面の内部に導入された気流が流出する際に、前記回転気流に対する垂直方向、あるいは前記気流の流出する方向が前記垂直方向から前記回転気流と同一方向側に傾斜するように前記垂直方向から傾斜された方向の流路を有することを特徴とする請求項1記載の情報記憶装置。
【請求項３】
前記流入開口部は、前記回転気流の接線方向に沿う方向の流路を有することを特徴とする請求項1記載の情報記憶装置。
【発明の詳細な説明】
【技術分野】
【０００１】
本発明は情報記憶装置に係り、特に回転可能に設けられる記憶媒体と、循環フィルタとを有する情報記憶装置に関する。
【背景技術】
【０００２】
回転可能に設けられる記憶媒体と、循環フィルタとを有する情報記憶装置として例えばハードディスク装置がある。
【０００３】
ハードディスク装置では、磁気ディスクの高記録密度化に伴う磁気ヘッドの低浮上化により装置内部の塵埃対策が重要な課題となっている。その塵埃対策として、例えば塵埃を捕集する循環フィルタを装置内に備える技術が知られている。この循環フィルタの設置位置として、ハウジングのコーナー部分、またはボイスコイルモータ側の空いたスペースに空気の流路を設け、当該流路内に搭載することが提案されている。
【０００４】
上記ハウジングのコーナー部分に循環フィルタを設ける場合、循環フィルタの流入側と流出側との間の十分な圧力差を得ることができないおそれがある。その結果循環フィルタを通過する気体の流量を十分確保し得ず、充分な塵埃の捕集効率を得られなくなる可能性がある。
【０００５】
またボイスコイルモータ側に空気の流路を設け当該流路内に循環フィルタを搭載する場合、以下の問題点が生ずる可能性がある。ボイスコイルモータの周辺にはロード／アンロード機構、ラッチ機構などが設けられる。このため空きスペース上の制約が生じ、循環フィルタにおける塵埃の捕集効率を確保し得る構成の流路を設けることが困難と考えられる。
【特許文献１】特開平８−１２９８７１号公報
【特許文献２】特開平１１−７３７５６号公報
【特許文献３】特開２００７−１２１８３号公報
【特許文献４】特開２００７−３５２１８号公報
【特許文献５】特開２００４−１７１７１３号公報
【特許文献６】特開２００５−７１５８１号公報
【発明の開示】
【発明が解決しようとする課題】
【０００６】
回転可能に設けられる記憶媒体を有する情報記憶装置において、循環フィルタによる塵埃の捕集効率を容易に向上可能な構成を提供することを目的とする。
【課題を解決するための手段】
【０００７】
回転可能に設けられる記憶媒体を有する情報記憶装置において、記憶媒体の回転による回転気流の、ヘッドアームの上流側から回転気流を導入し、同回転気流とは逆向きの気流として循環フィルタに流入させるように導く整流壁面を設ける。その結果、循環フィルタの流入側と流出側との間の圧力差を高め、フィルタ効率、すなわち塵埃の捕集効率を向上させることができる。
【発明の効果】
【０００８】
上記情報記憶装置によれば、記憶媒体の回転による回転気流を循環フィルタに導く流路を設けるのに要されるスペースを必要最小限としつつ、当該循環フィルタによる塵埃の捕集効率を効果的に向上させることができる。
【発明を実施するための最良の形態】
【０００９】
図１（ａ）は実施例１によるハードディスク装置の内部構造を示す平面図であり、図１（ｂ）は同ハードディスク装置の正面図である。
【００１０】
図１（ｂ）に示す如くハードディスク装置１００はハウジング１９３を有し、ハウジング１９３はベース１９０とこれを覆うカバーとを有する。図１（ａ）に示す如く、ベース１９０は外壁部１９５と、外壁部１９５に囲まれた収容凹部１９８とを有する。以下に説明する各部品はこの収容凹部１９８内に収容される。
【００１１】
収容凹部１９８には、情報記憶媒体としての磁気ディスク１１０および同磁気ディスクを回転駆動するスピンドルモータ１２０が収容される。また収容凹部１９８には、上記磁気ディスク１１０に対し情報を記録しあるいは同磁気ディスク１１０から情報を再生する磁気ヘッド１３０が先端に設けられたキャリッジアーム１４０が収容される。キャリッジアーム１４０には、磁気ディスク１１０の一枚当たり、当該磁気ディスク１１０の表面および裏面の各々に対し１個ずつ、計２個の磁気ヘッド１３０が搭載される。収容凹部１９８にはさらに、上記キャリッジアーム１４０を回転駆動することにより上記磁気ヘッド１３０を磁気ディスク１１０の任意のシリンダ上に移動するボイスコイルモータ１６０が収容される。
【００１２】
ここで上記磁気ディスク１１０の枚数は一枚でもよいし、２枚以上の複数枚であってもよい。磁気ディスク１１０が複数枚の場合、当該複数枚の磁気ディスク１１０は一台の共通のスピンドルモータ１２０に取り付けられる。その際、図１中、紙面に垂直の回転軸の方向に複数枚の磁気ディスク１１０が所定の間隔で並ぶようにスピンドルモータ１２０に取り付けられる。また上記磁気ディスク１１０が複数枚の場合、以下に述べる「磁気ディスク１１０上の回転気流」は「磁気ディスク１１０上の回転気流あるいは磁気ディスク１１０間の回転気流」と読み替えるものとする。
【００１３】
ハードディスク装置１００の構成は以下に説明する循環フィルタ１３に係る構成を除き、周知のハードディスク装置（すなわち、いわゆるＨＤＤ）の構成と同様とすることができ、ここでの詳細な説明は省略する。
【００１４】
このハードディスク装置１００には、ハウジング１９３内の塵埃を除去するための循環フィルタ１３と、塵埃を除去すべき空気を循環フィルタ１３に導くための整流壁面１０とが設けられる。整流壁面１０は相互に対向する２壁面であり、循環フィルタ１３の前後に延在する循環フィルタ流路１４を形成する。この循環フィルタ流路１４は、磁気ディスク１１０の回転により生ずる気流を導入するための流入開口部１１を有する。また循環フィルタ流路１４は、このようにして導入され循環フィルタ１３で塵埃が除去された空気が排出される流出開口部１２を有する。ここで上記磁気ディスク１１０の回転により生ずる気流は磁気ディスク１１０上に形成され、磁気ディスク１１０の回転方向と同方向に回転する気流であり回転気流と称する。
【００１５】
このように実施例１では、磁気ディスク１１０に対し、ボイスコイルモータ１６０と対向する位置に循環フィルタ流路１４を設ける。すなわちこの循環フィルタ流路１４の位置は、ボイスコイルモータ１６０の付近の構造物の配置に影響を与えない位置である。またこのような構成の循環フィルタ流路１４は以下に示す理由により、循環フィルタ１３に回転気流を導く流路として循環フィルタ１３の塵埃の捕集効率を効果的に高めることができる。ここで当該ハードディスク装置１００における磁気ディスク１１０の回転方向は、図２の矢印Ｆ１等により示す如く、図１中、反時計回りである。
【００１６】
実施例１では、キャリッジアーム１４０に対する上記回転気流の上流側の部分の、磁気ディスク１１０外縁の周壁面に対向する位置に上記流入開口部１１を設けた。ここで上記磁気ディスク１１０の回転により生ずる上記反時計回りの回転気流の上流側の部分をアーム上流と称する。このアーム上流の位置については図８とともに後述する。同流入開口部１１に対し、磁気ディスク１１０上の回転気流の分流としての気流が流入する。
【００１７】
また、キャリッジアーム１４０に対する上記回転気流の下流側の部分の、磁気ディスク１１０の外縁の周壁面と対向する位置に、上記流出開口部１２を設けた。ここで上記キャリッジアーム１４０に対する上記回転気流の下流側の部分をアーム下流と称する。アーム下流の位置についても図８とともに後述する。その結果、循環フィルタ流路１４内の気流は、磁気ディスク１１０の回転により生ずる反時計回りの回転気流の方向とは逆の方向、すなわち図１中、時計回りの方向を有する。
【００１８】
また上記流出開口部１２は実施例１の場合、上記回転気流の方向に垂直な方向に沿う流路を有する。他方図６とともに後述する実施例２の場合、流出する気流の方向が上記垂直方向に対し上記反時計回りの回転気流の方向に傾斜した方向になるような方向に沿う流路を有する。この点につき図３，図５、図６とともに後述する。
【００１９】
図２は実施例１における気流の流れについて説明するための図であり、図１に示す構成中、特に磁気ディスク１１０の周辺を模式的に示す平面図である。
【００２０】
図２に示される如く、回転気流は図中Ｆ１の方向に形成され、この回転気流の分流としての気流が上記流入開口部１１から循環フィルタ流路１４に図中Ｆ２の方向で流入する。ここで上記流入開口部１１が磁気ディスク１１０の外縁を描く円の接線方向Ｆ２に沿う流路を有する。このため、磁気ディスク１１０上の回転気流の分流としての気流が流入開口部１１に自然に流入する。このようにして循環フィルタ流路１４に流入した空気は循環フィルタ流路１４に沿って図２中時計回りの方向Ｆ３に沿う気流を形成して循環フィルタ１３に向かう。その後同空気は循環フィルタ１３を通過し、通過の際に循環フィルタ１３により塵埃が捕捉される。循環フィルタ１３を通過した空気は流出開口部１２から磁気ディスク１１０上の空間に向かって流出する。磁気ディスク１１０上の空間に流出された空気の気流は上記回転気流に合流する。
【００２１】
このように実施例１のハードディスク装置１００によれば、磁気ディスク１１０の回転により発生する回転気流とは逆向き（図２中、Ｆ３）の、循環する気流が循環フィルタ流路１４に形成される。その結果、循環フィルタを通る気流が磁気ディスクの回転により生ずる回転気流と同方向の構成の例（以下比較例と称する）に比し、循環フィルタ１３における塵埃の捕集効率を効果的に向上させることができる。その理由を以下に示す。
【００２２】
磁気ディスク１１０の回転により生ずる回転気流はキャリッジアーム１４０によって堰き止められる。したがってアーム下流では回転気流の運動エネルギが小さい。アーム下流以降、図中反時計回りにアーム上流に向かうにつれ、回転気流は磁気ディスク１１０の回転により徐々に発達し、その運動エネルギが徐々に増加する。その結果回転気流の運動エネルギはキャリッジアーム１４０の手前で最大となる。
【００２３】
上記比較例の場合、以下の構成となる。すなわち上記の如くキャリッジアームで堰き止められて運動エネルギが低下した回転気流が十分に発達していない状態でその分流としての気流が循環フィルタに流入する。ここで循環フィルタに回転気流の分流としての気流を導入して当該循環フィルタを通過させる場合、循環フィルタの効率を考慮し、その前後にある程度の長さの流路を設ける必要がある。その結果流入開口部と流出開口部との間の距離を、ある程度長くする必要がある。また上記比較例の場合、流入開口部の位置は流出開口部の位置より上流側となる。また上記の如くボイスコイルモータの周辺の空きスペースの確保は困難である。このため上記循環フィルタ流路は、磁気ディスクに対し、ボイスコイルモータと対向する位置に設ける必要がある。
【００２４】
このような事情から上記比較例の場合、流出開口部の上流側に設けるべき流入開口部は、必然的に回転気流の上流側の位置となる。すなわちキャリッジアームを通過して反時計回りに略一周して再びキャリッジアームに至るまでの回転気流の経路上、アーム上流からアーム下流方向に時計回りに循環フィルタ流路の長さの分戻った位置に流入開口部が配置される。その結果上記の如く、回転気流が十分に発達していない状態で循環フィルタ流路に気流を導入することになる。その結果循環フィルタの入口側の堰き止め圧力が低下し、循環フィルタの効率が低下する。
【００２５】
これに対し実施例１によれば、上記の如く循環フィルタ流路１４に形成される気流の方向が磁気ディスク１１０上の回転気流の方向と逆である。その結果循環フィルタ流路１４の流入開口部１１の位置をアーム上流とすることが可能となる。その結果、上記の如く一旦キャリッジアーム１４０で堰き止められてエネルギが低下した回転気流が充分発達した状態で気流を循環フィルタ流路１４に導入することが可能となる。すなわちアーム下流から流入開口部１１に至るまでの反時計回りの経路上、回転気流は高速回転する磁気ディスク１１０上で運動エネルギを得て徐々に発達する。そしてこのように回転気流が充分に発達した状態で流入開口部１１から気流が導入される。その結果循環フィルタ１３の前後の圧力差を効果的に高めることが可能となる。したがって循環フィルタ１３の通過流量を増加させ塵埃の捕集効率の向上が図れる。
【００２６】
このように実施例１のハードディスク装置１００によれば循環フィルタ流路１４の流入開口部１１をアーム上流のキャリッジアーム１４０に極力近い位置に設けることが可能となる。また循環フィルタ流路１４の流出開口部１２をアーム下流のキャリッジアーム１４０に極力近い位置に設けることが可能となる。上記の如く、磁気ディスク１１０上の回転気流は、キャリッジアーム１４０を通過した後、磁気ディスク１１０上を反時計回りに略一周して再びキャリッジアーム１４０に至るまでの経路上、徐々に発達する。したがって上記実施例１の構成によれば、以下の作用を奏する。
【００２７】
すなわち回転気流が充分発達して運動エネルギが高くなった位置で循環フィルタ流路１４に空気を流入させ、回転気流があまり発達しておらず運動エネルギが未だ低い状態の位置に循環フィルタ１３通過後の空気を流出する。その結果循環フィルタ１３の前後の圧力差を効果的に増加させ塵埃の捕集効率を効果的に向上させることが可能となる。
【００２８】
また実施例１のハードディスク装置１００において、図３に示す如く、流入開口部１１の形状は回転気流に沿って空気が流入する形状であることが望ましい。そのような形状とすることにより、回転気流の運動エネルギを維持した状態で流入開口部１１から導入することが可能となる。その結果、このようにして循環フィルタ流路１４に導入された空気が循環フィルタ流路１４を通り循環フィルタ１３に至った際の気流の運動エネルギを高くすることが可能となる。その結果循環フィルタ１３の手前Ｐ１の位置における堰き止め圧力を高めることが可能となり、循環フィルタ１３の通過流量が増加させることが可能となる。その結果循環フィルタ１３による塵埃の捕集効率を向上させることが可能となる。
【００２９】
また流出開口部１２において磁気ディスク１１０上の回転気流が流入し循環フィルタ１３の背後のＰ２の位置に流入することを防止する必要がある。このＰ２の位置に磁気ディスク１１０上の回転気流が流入するとその位置の圧力が高まり、結果的に循環フィルタ１３の前後の圧力差が低下し、循環フィルタ１３の通過流量が低下する。その場合循環フィルタ１３の塵埃の捕集効率が低下する。このような事態を避けるため、流出開口部１２は、磁気ディスク１１０上の回転気流が流入しないような形状とすることが望ましい。すなわち流出開口部１２は以下に述べる形状とすることが望ましい。
【００３０】
図３等に示す実施例１の場合のように流出開口部１２には、磁気ディスク１１０の外縁を描く円の接線に垂直な方向Ｖに沿う流路を形成する。あるいは図６とともに後述する実施例２の場合のように流出開口部１２Ａには、上記垂直な方向Ｖから傾斜させた方向Ｓに沿う流路を形成する。
【００３１】
流入開口部１１および流出開口部１２を上記の構成とすることにより、磁気ディスク１１０上の回転気流を循環フィルタ流路１４へ導くために別途磁気ディスク１１０上或いは磁気ディスク１１０間に整流板や誘導板などの構造物を設ける必要がなくなる。すなわち流入開口部１１および流出開口部１２を上記の構成とすることにより循環フィルタ流路１４内に磁気ディスク１１０上の回転気流とは逆方向の循環気流が自然形成される。その結果循環フィルタ１３を通過させるために循環フィルタ流路１４に導入する回転気流の分流量を効果的に増加させることが可能となる。その結果上記の如く別途整流板や誘導板などの構造物を設ける必要がなくなり、それらの構造物によるスピンドルモータ１２０の負荷の増大を招くことがなくなる。なお図３等に示す実施例１の構成では循環フィルタ１３は循環フィルタ流路１４に対し斜めに設置されている。その結果循環フィルタ流路１４に対する循環フィルタ１３の露出面積を増大させることが可能となり、循環フィルタ１３の通過流量を効果的に増大させることが可能となる。
【００３２】
図４に、上記比較例および実施例１について実施したシミュレーション結果を示す。ここでは磁気ディスク１１０を２枚とし当該２枚の磁気ディスク１１０に挟まれた面間断層を計算領域とした数値流体解析による比較検証を行った。ここで循環フィルタ１３における効率、フィルタ面積および境界条件は比較例、実施例１とで同一条件となっている。
【００３３】
図４（ａ）、（ｂ）に示す静圧分布をみると、上記した如く、循環フィルタ１３の前後の圧力差は図４（ｂ）の実施例１の方が図４（ａ）の比較例より大きいことが分かる。当該シミュレーションの結果、循環フィルタ１３の通過流量は実施例１の方が比較例に比して３４％増加しており、その結果循環フィルタ１３による塵埃の捕集効率を向上させ得ることが確認された。図４（ｃ）、（ｄ）は上記シミュレーションで得られた流速ベクトルを示す。図４（ｄ）に示す実施例１の場合、循環フィルタ流路１４内に、磁気ディスク１１０上の回転気流とは逆向きのバイパス循環流が生じていることが確認された。他方図４（ｃ）に示す比較例の場合、循環フィルタ１３に導かれたバイパス循環流の方向は磁気ディスク１１０上の回転気流と同方向であることが分かる。
【００３４】
以下に上記シミュレーションの条件のパラメータにつき説明する。２枚の磁気ディスク１１０に挟まれたディスク面間一層を計算領域とし、境界条件として、上下断面を相互に対称な面とし、磁気ディスク１１０の周壁面の回転数として１００００ｒｐｍを設定した。またハウジング１９３の内壁面を固定壁とし、３次元定常流体解析を行った。また循環フィルタ１３には体積抵抗を設定し、当該解析に係る全ケースにおいて、その断面積を同一とした。
【００３５】
図５は実施例１のハードディスク装置１００において整流壁面１０により形成される循環フィルタ流路１４の形状を説明するための斜視図である。図５および図１に示される如く、循環フィルタ流路１４は、磁気ディスク１１０を取り囲むように形成されている上記外壁部１９５の一部が刳り貫かれて形成される。すなわち外壁部１９５のうち磁気ディスク１１０を挟んでボイスコイルモータ１６０とほぼ対向する部分を、磁気ディスク１１０の外縁を描く円に沿って刳り貫くことで循環フィルタ流路１４を形成する。すなわち外壁部１９５のうち、磁気ディスク１１０の外縁の周壁面に対向する部分が内壁部１５として残される。循環フィルタ流路１４を形成する整流壁面１０の高さ方向は磁気ディスク１１０の回転軸に沿う方向と一致する。
【００３６】
磁気ディスク１１０上の回転気流を循環フィルタ流路１４に導入するための流入開口部１１は流入壁面１１ｗにより形成される流路を有する。流入壁面１１ｗは、上記の如く流入開口部１１の流路が図３に示す如くに磁気ディスク１１０の外縁を描く円の接線方向Ｔに沿って延在するよう、同接線方向に延在して設けられる。上記接線方向Ｔは図２に示す、回転気流の分流が循環フィルタ流路１４に流入する方向Ｆ２と一致する。
【００３７】
この流入開口部１１以降、循環フィルタ流路１４は右周りに鋭角に湾曲され、図２の時計回りの方向Ｆ３に沿って循環フィルタ１３に向う方向となる。その結果流入開口部１１から導入された回転気流の分流としての気流は略１８０°折り返され、上記方向Ｆ３に沿う気流として循環フィルタ流路１４内を通過して循環フィルタ１３に向かう。その間の循環フィルタ流路１４は磁気ディスク１１０の外縁を描く円に沿って延在する。循環フィルタ１３の手前で循環フィルタ流路１４は外側にふくらんでいる。その結果気流が循環フィルタ１３に対し略垂直に流入するように右方向に略９０°曲げられる。
【００３８】
循環フィルタ１３の背後で循環フィルタ流路１４は再び磁気ディスク１１０の外縁を描く円に沿って時計回りの方向に延在する。その後循環フィルタ流路１４は流出開口部１２にて右方向に略９０°曲げられる。流出開口部１２は、磁気ディスク１１０の外縁を描く円の接線に垂直な方向Ｆ４、すなわち図３の方向Ｖに沿う流路を有する。この流出開口部１２の流路は相互に対向する流出壁面１２ｗで形成される。流出壁面１２ｗは上記流路を形成するように方向Ｆ４あるいはＶに沿って延在する。
【００３９】
図６は実施例２のハードディスク装置の構成を説明するための平面図である。
【００４０】
実施例２のハードディスク装置は上記した実施例１のハードディスク装置１００と同様の構成を有し、循環フィルタ流路１４Ａの形状が実施例１の循環フィルタ流路１４の形状と異なる。以下実施例１と異なる点についてのみ説明する。
【００４１】
図３に示す実施例１のハードディスク装置１００の循環フィルタ流路１４と比較すると、実施例２のハードディスク装置の循環流路１４Ａでは、循環フィルタ１３が流入開口部１１Ａ付近に配置されている点が異なる。また実施例１のハードディスク装置１００の循環フィルタ流路１４と比較すると、実施例２のハードディスク装置の循環流路１４Ａでは、流出開口部１２Ａの流路の方向が異なる。これらの相違につき以下に説明する。
【００４２】
実施例２の循環フィルタ流路１４Ａは整流壁面１０Ａで形成される。その際内壁部１５Ａが形成される。整流壁面１０Ａは実施例１の整流壁面１０同様、その高さ方向が磁気ディスク１１０の回転軸に沿う方向と一致し、磁気ディスク１１０の外縁を描く円に沿って延在する。実施例２の流入開口部１１Ａは実施例１の流入開口部１１と同様、磁気ディスク１１０の外縁を描く円の接線方向に延在する流路を有する。この流路は流入壁面１１Ａｗによって形成される。循環フィルタ流路１４Ａは流入開口部１１Ａ以降磁気ディスク１１０の外縁を描く円に沿って時計回りに延在し、循環フィルタ１３に至る。循環フィルタ流路１４Ａは循環フィルタ１３の背後でふくらまされ、循環フィルタ１３を通過後、磁気ディスク１１０の外縁を描く円に沿って時計回りに延在して流出開口部１２Ａに至る。
【００４３】
このように、循環フィルタ流路における循環フィルタ１３の位置は実施例１の場合のように流出開口部１２付近でもよいし、実施例２の場合のように流入開口部１１Ａ付近でもよい。あるいは循環フィルタ１３の循環フィルタ流路における位置は、流入開口部と流出開口部との中間位置でもよい。いずれにしても、上記の如く、循環フィルタ流路の流入開口部がアーム上流のキャリッジアーム１４０に近い位置に設けられることが望ましい。その結果磁気ディスク１１０上の回転気流が充分発達した状態で循環フィルタ流路に回転気流の分流としての気流が導入される。その結果循環フィルタ１３の入口での堰き止め圧力を高くすることが可能となり循環フィルタ１３の通過流量を増加させ、塵埃の捕集効率を向上させ得る。また上記の如く、循環フィルタ流路の流出開口部がアーム下流のキャリッジアーム１４０に近い位置に設けられることが望ましい。その結果循環フィルタ１３を通過した空気が磁気ディスク１１０上に戻される位置において磁気ディスク１１０上の回転気流は未発達の状態であり、循環フィルタ１３の出口圧力が増加することを回避し得る。その結果循環フィルタ１３の通過流量を増加させ、塵埃の捕集効率を向上させ得る。これらの２つの条件が満たされる限り、循環フィルタ流路における循環フィルタ１３の位置は任意である。また後述する変形例１，２の如く、循環フィルタ流路に形成される気流の方向が回転気流の方向と逆であれば、上記２つの条件中、いずれか一の条件のみが満たされる場合であってもある程度の効果を得ることができる。
【００４４】
実施例２の流出開口部１２Ａは流出壁面１２Ａｗにより形成される流路を有する。流出壁面１２Ａｗは図６に示す如く、実施例１の流出壁面１２ｗと異なり、磁気ディスク１１０の外縁を描く円の接線に垂直な方向Ｖからθ傾斜された方向Ｓに沿って延在する。その結果流出開口部１２Ａから磁気ディスク１１０上へ流出する循環フィルタ１３通過後の空気が流出する方向が傾斜される。この傾斜は、上記垂直な方向Ｖから角度θ分、磁気ディスク１１０上の回転気流の方向に傾く傾斜である。流出開口部１２Ａをこのような形状とすることにより、実施例１の流出開口部１２の場合同様、磁気ディスク１１０上の空間から流出開口部１２Ａを通して循環フィルタ流路１４Ａへ空気が逆流することを防止し得る。その結果循環フィルタの出口圧力の上昇を回避し、循環フィルタ１３の通過流量の減少を防ぎ、塵埃の捕集効率の低下を防ぐことができる。
【００４５】
このように実施例１および実施例２のそれぞれにおける循環フィルタ流路１４，１４Ａの形状および流入開口部１１，１１Ａ，流出開口部１２、１２Ａの形状により、以下の効果が得られる。すなわち、磁気ディスク１１０上あるいは磁気ディスク１１０間に別途整流板や誘導板などの構造物を設けなくとも、磁気ディスク１１０上の回転気流と逆方向の循環気流が循環フィルタ流路１４、１４Ａ内に自然に形成される。その結果上記別途整流板や誘導板などの構造物を設けた場合に生ずるスピンドルモータ１２０の負荷の増大による消費電力の増大を回避し得る。また上記実施例１および実施例２の各々において上記の如く磁気ディスク１１０上の回転気流と逆方向の循環気流を循環フィルタ流路１４、１４Ａ内に形成させることにより以下の効果が得られる。すなわち循環フィルタ１３の通過流量を効果的に増大させ、塵埃の捕集効率を向上させることができる。
【００４６】
以下に図７，図８とともに、上記比較例および実施例１に加え、更に実施例１の変形例１および変形例２の計４種類の構成例につき、相互に比較して説明する。
【００４７】
なお説明をわかりやすくする目的で、図８中、磁気ディスク１１０上の回転気流中、キャリッジアーム１４０の左上側の破線で囲った領域をアーム上流と称し、右上側の破線で囲った領域をアーム下流と称する。これらアーム上流およびアーム下流のそれぞれの用語は、本明細書の全体に亘って同義である。
【００４８】
図７（ａ）は上記比較例の場合を示し、図７（ｂ）は実施例１の場合を示し、図７（ｃ）、（ｄ）はそれぞれ実施例１の変形例１，２の場合を示す。
【００４９】
上記変形例１のハードディスク装置の場合、循環フィルタ流路１４Ｂの流入開口部１１Ｂの位置は実施例１の流入開口部１１の位置と同様である。ただし流出開口部１２Ｂの位置が、実施例１の流出開口部１２の位置に比して反時計回りにずれている。その結果、変形例１の循環フィルタ流路１４Ｂは比較例の循環フィルタ流路とほぼ同じ長さを有する。図４とともに説明したものと同様の条件でシミュレーションを行った結果、この変形例１の場合、循環フィルタ１３の通過流量は比較例の場合に比し、１３％増加した。
【００５０】
ここで図７（ｃ）の変形例１の場合、流入開口部１１Ｂの位置が図７（ａ）の比較例の流出開口部１２Ｘと同様とされ、流出開口部１２Ｂの位置が比較例の流入開口部１１Ｘと同様とされている。しかしながら変形例１の場合、比較例と異なり、流入開口部１１Ｂがアーム上流に近いため、流入開口部１１Ｂに至るまでの間で、キャリッジアーム１４０で一旦堰き止められた回転気流が再び充分に発達することができる。その結果循環フィルタ１３の入口（図７（ｃ）中、位置Ｃ）での堰き止め圧力が増加し、循環フィルタ１３の前後の圧力差が増大する。すなわち図７（ａ）、（ｃ）中、Ａ，Ｂ，Ｃ，Ｄの各位置の圧力は、Ｃ＞Ａ（循環フィルタの入口側）、Ｂ≒Ｄ（循環フィルタの出口側）の関係を有する。その結果上記の如く、変形例１の場合、循環フィルタ１３の通過流量は比較例の場合に比して増加する。
【００５１】
図７（ｄ）の変形例２の場合、流入開口部１１Ｃの位置が図７（ａ）の比較例の流入開口部１１Ｘと同様とされているが、流出開口部１２Ｃの位置は比較例の流出開口部１１Ｘとは反対側とされている。図４とともに説明したものと同様の条件でシミュレーションを行った結果、この変形例２の場合、循環フィルタ１３の通過流量は比較例の場合に比し、２４％増加した。変形例２の場合流入開口部１１Ｃの位置は比較例の流入開口部１１Ｘと同じ位置であるため、循環フィルタ１３の入口側（図７（ａ）中、Ａおよび図７（ｄ）中、Ｅ）の堰き止め圧力も両者ほぼ同様になる。しかしながら、変形例２の場合比較例と異なり、流出開口部１２Ｃが、キャリッジアーム１４０で一旦堰き止められた回転気流の発達が未だ十分でないアーム下流に位置する。したがって流出開口部１２Ｃの付近（図７（ｄ）中、Ｆ）の圧力が、比較例の流出開口部１２Ｘの付近（図７（ａ）中、Ｂ）の圧力より低くなる。その結果変形例２の場合、循環フィルタ１３の出口圧力が低くなり、循環フィルタ１３の前後の圧力差が増加する。すなわち図７（ａ）、（ｄ）中、Ａ，Ｂ，Ｅ，Ｆ各点の圧力の間計は、Ａ≒Ｅ（循環フィルタの入口側）、Ｂ＞Ｆ（循環フィルタの出口側）となる。その結果、その結果上記の如く、変形例２の場合も、循環フィルタ１３の通過流量は比較例の場合に比して増加する。
【００５２】
上記解析結果から以下の点が導かれる。すなわち、実施例１における上記循環フィルタ１３の通過流量の増加効果（＋３４％）は、ほぼ、変形例１における上記循環フィルタ１３の通過流量の増加効果（+１３％）と、変形例２における上記循環フィルタ１３の通過流量の増加効果（+２４％）との単純加算と等しい。すなわち１３＋２４＝３６≒３４。このことから以下の点が導かれる。すなわち、流入開口部は極力磁気ディスク１１０上の回転気流が充分に発達する、アーム上流のキャリッジアーム１４０に近い位置に設けることが望ましい。また流出開口部は極力磁気ディスク１１０上の回転気流が未発達な、アーム下流のキャリッジアーム１４０に近い位置に設けることが望ましい。
【産業上の利用可能性】
【００５３】
上記した各実施例は磁気ディスク１１０を使用したハードディスク装置の場合の例であった。これらの例に限られず、回転する記憶媒体を利用した他の種類の情報記憶装置の実施例も可能である。
【図面の簡単な説明】
【００５４】
【図１】実施例１に係るハードディスク装置の全体構成を説明するための平面図（（ａ））および正面図（（ｂ））である。
【図２】図１に示すハードディスク装置中、磁気ディスクの周辺の平面図である。
【図３】図１に示すハードディスク装置中、循環フィルタ流路の周辺を拡大して示す平面図である。
【図４】比較例との比較における、実施例１に係るハードディスク装置の作用効果を説明するための図である。
【図５】図１に示すハードディスク装置中、循環フィルタ流路の周辺を拡大して示す斜視図である。
【図６】実施例２に係るハードディスク装置中、循環フィルタ流路の周辺を拡大して示す平面図である。
【図７】比較例、実施例１並びに変形例１および２に係るハードディスク装置の作用効果を相互に比較して説明するための図である。
【図８】用語について説明するための図である。
【符号の説明】
【００５５】
１０、１０Ａ，１０Ｂ，１０Ｃ  整流壁面
１１、１１Ａ，１１Ｂ，１１Ｃ、１１Ｘ  流入開口部
１１ｗ、１１Ａｗ  流入壁面
１２、１２Ａ，１２Ｂ，１２Ｃ、１２Ｘ  流出開口部
１２ｗ、１２Ａｗ  流出壁面
１３  循環フィルタ
１４、１４Ａ，１４Ｂ，１４Ｃ、１４Ｘ  循環フィルタ流路
１５、１５Ａ  内壁部
１００  ハードディスク装置
１１０  磁気ディスク
１３０  磁気ヘッド
１４０  キャリッジアーム
１６０  ボイスコイルモータ
１９０  ベース
１９３  ハウジング
１９４  カバー
１９５  外壁部
１９８  収容凹部
【図２】
2009301642.tif 000003
【図３】
2009301642.tif 000004
【図５】
2009301642.tif 000005
【図６】
2009301642.tif 000006
【図８】
2009301642.tif 000007
【図１】
2009301642.tif 000008
【図４】
2009301642.tif 000009
【図７】
2009301642.tif 000010